(57)【要約】      （修正有）【課題】排水回路用脱臭装置を提供する。【解決手段】外筒１８と、該外筒内に設けられる内筒２０と、可動部材２２とを含む。該外筒は、流し台又は洗面台の流し排水栓１２と排水管１６との間に設けられ、該内筒内に排水口４５が配置され、該可動部材は、該内筒内に上下に移動可能である。該可動部材は、平時に、排水管１６内の臭いを遮断するために該排水口４５を閉鎖する。水が外筒内に流入した場合は、該可動部材が移動して該排水口を開放する。【選択図】図３
0003166721.tif 000002
【実用新案登録請求の範囲】
【請求項１】
上端には流し排水栓と接続するための上結合口を有し、下端には排水回路と接続するための下結合口を有する外筒と、
前記外筒内に設けられ、且つ上段と下段とを含み、前記上段の内部にはショルダー部が設けられ、前記ショルダー部において排水口が配置されており、前記下段内に位置するスプリング座と、前記スプリング座に結合される案内ロッドと、前記案内ロッド内に嵌設されるスプリングとをさらに含み、前記スプリングの底端が前記スプリング座上に当接されるようにする内筒と、
前記内筒内に収容されるとともに前記スプリング座と前記ショルダー部との間に位置しており、前記スプリングの頂端に当接される板体と、前記板体から上へ延び、前記案内ロッドの上端に嵌設されるスリーブとを含み、前記内筒内の第１の位置と第２の位置との間に上下に移動可能であり、前記第１の位置に位置した場合、前記排水口を閉鎖するために前記スプリングが前記可動部材を前記ショルダー部に当接させるように押圧し、前記第２の位置に位置した場合、前記スプリングを圧縮するとともに前記排水口を開放させるように前記ショルダー部と分離する可動部材と、
を備えることを特徴とする排水回路用脱臭装置。
【請求項２】
頂端が前記外筒の下結合口と結合される下接続ヘッドをさらに含み、前記内筒の上段及び下段のそれぞれは筒体であり、且つ着脱可能に結合され、前記外筒の上端にはリング槽が設けられ、前記内筒の上段が前記リング槽内に挿入結合されることを特徴とする請求項１に記載の排水回路用脱臭装置。
【請求項３】
底端が前記外筒の上結合口に結合される上接続ヘッドをさらに含み、前記ショルダー部が上へ次第に小さくなる錐状断面を有し、前記案内ロッドが前記スプリング座から前記内筒の上段へ延びることを特徴とする請求項２に記載の排水回路用脱臭装置。
【考案の詳細な説明】
【技術分野】
【０００１】
本考案は、脱臭装置に関し、特に流し台又は洗面台に用いられる排水回路の脱臭装置に関するものである。
【背景技術】
【０００２】
家庭の流し台及び洗面台の水槽排水口には、異物が排水回路内に流入することを防止するための流し排水栓が設けられるのが一般的である。しかしながら、排水回路内に貯まった汚れによる臭いが流し排水栓を経由して屋内に進入したり、ごきぶりや昆虫等が流し排水栓を経由して屋内に侵入したりする可能性があるため、環境的にも、衛生的にも品質の低下が生じる。
【０００３】
流し排水栓の内部には、臭いや虫を遮断するための遮断装置を設けることがあるが、該遮断装置の阻止によって流し排水栓から排出された汚水の異物又は汚れが流し排水栓内に貯まることはよくあるため、排水回路が詰まりやすく、洗浄が困難となる。
【考案の概要】
【０００４】
そこで、上述した課題に鑑み、本考案は、臭いを遮断するために、流し台又は洗面台の流し排水栓と排水回路との間に設けられ、洗浄を容易にする脱臭装置を提供することを目的とする。
【課題を解決するための手段】
【０００５】
上述した目的を達成するために、本考案は、外筒と、前記外筒に設けられる内筒と、前記内筒内に収容される可動部材とを備える脱臭装置を提供する。前記外筒の上端には流し排水栓が接続され、前記外筒の下端には排水管が接続される。前記内筒内部には排水口が配置される。前記内筒内部には、スプリング座と、案内ロッドと、前記案内ロッドに嵌設されるスプリングとが設けられている。前記可動部材の一端は、前記スプリングに当接されるとともに前記案内ロッドの上端に結合され、前記内筒の第１の位置と第２の位置との間に上下に移動可能である。前記可動部材が第１の位置に位置した場合、前記スプリングは、前記排水口を閉鎖するために前記可動部材を押圧し、前記可動部材が第２の位置に位置した場合、前記可動部材は、前記排水口を開放するために前記スプリングを圧縮する。
【考案の効果】
【０００６】
本考案に係る排水回路用脱臭装置は、排水管内の臭いを遮断し、ごきぶり等の昆虫が室内に進入することを防止し、排水管内の水の逆流を回避する効果を奏することが可能である。
【図面の簡単な説明】
【０００７】
【図１】本考案に係る脱臭装置の立体図である。
【図２】図１の脱臭装置の分解図である。
【図３】図１の脱臭装置の断面図であり、該脱臭装置が流し台の排水回路に組み付けられる様子を示す。
【図４】図３の可動部材が下へ移動する断面図を示す。
【図５】該脱臭装置が他の流し台の排水回路に適用された場合の断面図を示す。
【図６】該脱臭装置が洗面台の排水回路に適用された場合の断面図を示す。
【図７】該脱臭装置が他の洗面台の排水回路に適用された場合の断面図を示す。
【図８】下接続ヘッドが外筒の下端に嵌合された場合の断面図を示す。
【考案を実施するための形態】
【０００８】
図１〜４は、本考案に係る脱臭装置１０を示す。脱臭装置１０は、流し台の流し排水栓１２の底端１４と排水管１６との間に組み付けられる。脱臭装置１０は、外筒１８と、外筒１８内に結合される内筒２０と、内筒２０に収容される可動部材２２とを含む。外筒１８の内部には貫通孔２８が設けられている。外筒１８の上端２４には流し排水栓の底端１４と接続するための上結合口３０が設けら、外筒１８の下端２６には下結合口３２が設けられている。上、下結合口３０、３２のそれぞれは、内ねじ山３４を有している。外筒１８は、上端２４の外周壁と上結合口３０との間にリング槽３６が設けられている。
【０００９】
内筒２０は、上段３８と下段４０とを含み、内筒２０内には貫通孔４２が設けられている。上段３８及び下段４０のそれぞれは、筒体であり、且つ内筒２０として着脱可能に結合される。内筒の上段３８は、外筒１８のリング槽３６内に挿入結合される。内筒の上段３８の内周には環状ショルダー部４４が延在され、ショルダー部４４は、上へ次第に小さくなる錐状断面を有し、ショルダー部４４の内部には排水口４５が配置されている。
【００１０】
内筒２０は、さらにスプリング座４６と、案内ロッド４８と、スプリング５０とを含む。スプリング座４６は、内筒の下段４０内に位置する。スプリング座４６は、３つの支持壁５２を含み、それらの支持壁５２の外端５４は、貫通孔４２の孔壁に結合され、それらの支持壁５２の内端５６はともに貫通孔４２の中心軸線上に結合される。案内ロッド４８は、スプリング座４６の内端５６から内筒２０の上段３８へ延びる。案内ロッド４８は、スクリューであり、その下端５８がスプリング座４６上に結合され、その上端６０が上へ上段３８内まで延びる。スプリング５０は、案内ロッド４８外に嵌め、スプリングの底端６４は、スプリング座４６上に当接される。
【００１１】
可動部材２２は、スプリング座４６とショルダー部４４との間に位置する。可動部材２２は、板体６６と、板体６６の頂面から上へ延びるスリーブ６８とを含む。板体６６の外径は、貫通孔４２の外径よりも小さいが、排水口４５の外径よりも大きい。組み付け上は、まず可動部材２２を内筒の下段４０内に組み付け、次に内筒の上段３８と下段４０とを結合する。板体６６は、スプリング５０の頂端６２に当接される。可動部材２２は、内筒２０の第１の位置（図３参照）と第２の位置（図４参照）との間に移動可能である。スリーブ６８は、可動部材２２の上下移動を案内するために案内ロッドの上端６０に嵌設されている。可動部材２２が第１の位置に位置した場合、スプリング５０は、可動部材２２を、排水口４５を閉鎖するためにショルダー部４４の下端に当接するように押圧する。可動部材２２が第２の位置に位置した場合、可動部材２２は、スプリング５０を圧縮するとともに、排水口４５を開放させるようにショルダー部４４と分離する。
【００１２】
脱臭装置１０は、さらに管状下接続ヘッド７０を含み、下接続ヘッド７０は、外ねじ山を有する頂端７２と内ねじ山を有する底端７４とを含み、頂端７２は、外筒１８の下結合口３２に螺合されるとともに、内筒２０が外筒１８内に位置するように下段４０に当接される。底端７４は、排水管１６に接続されてもよい。また、下接続ヘッド７０は、外筒の下端２６と一体に形成されてもよい。
【００１３】
実施上において、水７６が流し排水栓１２から排出された後、水７６の重量は、可動部材２２が第２の位置に移動して排水口４５（図５参照）を開放させるように可動部材２２を下へ押圧する。一方、水７６が流し排水栓１２から排出されていない場合、可動部材２２は、スプリング５０の押圧により第１の位置に移動し、排水口４５を閉鎖する（図３参照）。これにより、排水管１６内の臭いやごきぶり等の昆虫が室内に進入することを防止し、排水管１６内の水７６の逆流を回避する効果を奏することが可能である。異物が脱臭装置１０内に貯まり、排水に影響を与えた場合は、脱臭装置１０を取り外して洗浄することができる。
【００１４】
図５に示すように、脱臭装置１０は、さらに管状上接続ヘッド７８を含み、上接続ヘッド７８は、外ねじ山を有する頂端８０と外ねじ山を有する底端８２とを含み、底端８２は、外筒１８の上結合口３０に螺合され、頂端８０には他のタイプの流し台の流し排水栓１２の底端１４が接続される。
【００１５】
図６及び図７は、脱臭装置１０は、上接続ヘッド７８が洗面台の流し排水栓１２に接続され、下接続ヘッド７０が洗面台の排水管１６に接続されるようにしているため、異なるタイプの洗面台の流し排水栓１２と排水管１６との間に取り付けられる様子を示す。図８は、下接続ヘッド７０が外筒１８の下端２６に嵌合される様子を示す。
【００１６】
以上のように、本考案では、上端には流し排水栓と接続するための上結合口を有し、下端には排水回路と接続するための下結合口を有する外筒と、前記外筒内に設けられ、且つ上段と下段とを含み、前記上段の内部にはショルダー部が設けられ、前記ショルダー部において排水口が配置されており、前記下段内に位置するスプリング座と、前記スプリング座に結合される案内ロッドと、前記案内ロッド内に嵌設されるスプリングとをさらに含み、前記スプリングの底端が前記スプリング座上に当接されるようにする内筒と、前記内筒内に収容されるとともに前記スプリング座と前記ショルダー部との間に位置しており、前記スプリングの頂端に当接される板体と、前記板体から上へ延び、前記案内ロッドの上端に嵌設されるスリーブとを含み、前記内筒内の第１の位置と第２の位置との間に上下に移動可能であり、前記第１の位置に位置した場合、前記排水口を閉鎖するために前記スプリングが前記可動部材を前記ショルダー部に当接させるように押圧し、前記第２の位置に位置した場合、前記スプリングを圧縮するとともに、前記排水口を開放させるように前記ショルダー部と分離する可動部材と、を備えることを特徴とする排水回路用脱臭装置とするものである。
【００１７】
また、頂端が前記外筒の下結合口と結合される下接続ヘッドをさらに含み、前記内筒の上段及び下段のそれぞれは筒体であり、且つ着脱可能に結合され、前記外筒の上端にはリング槽が設けられ、前記内筒の上段が前記リング槽内に挿入結合されることを特徴とする請求項１に記載の排水回路用脱臭装置ものとする。
【００１８】
また、底端が前記外筒の上結合口に結合される上接続ヘッドをさらに含み、前記ショルダー部が上へ次第に小さくなる錐状断面を有し、前記案内ロッドが前記スプリング座から前記内筒の上段へ延びることを特徴とする請求項２に記載の排水回路用脱臭装置ものとする。
【産業上の利用可能性】
【００１９】
排水回路用脱臭装置により、排水管内の臭いを遮断し、ごきぶり等の昆虫が室内に進入することを防止し、排水管内の水の逆流を回避する効果を奏することが可能である。
【符号の説明】
【００２０】
１０  脱臭装置
１２  流し排水栓
１４  底端
１６  排水管
１８  外筒
２０  内筒
２２  可動部材
２４  上端
２６  下端
２８  貫通孔
３０  上結合口
３２  下結合口
３４  内ねじ山
３６  リング槽
３８  上段
４０  下段
４２  貫通孔
４４  ショルダー部
４５  排水口
４６  スプリング座
４８  案内ロッド
５０  スプリング
５２  支持壁
５４  外端
５６  内端
５８  下端
６０  上端
６２  頂端
６４  底端
６６  板体
６８  スリーブ
７０  下接続ヘッド
７２  頂端
７４  底端
７６  水
７８  上接続ヘッド
８０  頂端
８２  底端
【図１】
0003166721.tif 000003
【図２】
0003166721.tif 000004
【図３】
0003166721.tif 000005
【図４】
0003166721.tif 000006
【図５】
0003166721.tif 000007
【図６】
0003166721.tif 000008
【図７】
0003166721.tif 000009
【図８】
0003166721.tif 000010